(57)【要約】【課題】  雑草への耐貫通性に優れること、凹凸のある表面でも密着性が優れること、大幅なコスト低減、特に材料費の削減を図り施工業者へ普及させること、アスファルト舗装面との違和感をなくす。【解決手段】  １回目に粘着性、流動性がある茶色のアスファルト乳剤を界面隙間１０３に塗布し、この乳剤は、塗布にあたっては、すみ出し位置からアスファルト乳剤がはみ出さないように注意して塗布し、これにより第１層２が形成され、塗布直後に不織布製の防草シート３を貼り付け、特殊紙を使って防草シート３を押さえ、アスファルト乳剤の固化を待って、アスファルト乳剤を防草シート３及び第１層２の表面に塗布し、防草シート３端部から片側で横幅方向に５〜１５ｍｍ余分にアスファルト乳剤を塗布することが好ましく、これにより第２層４が形成される。【選択図】図１
2011122381.tif 000002
【特許請求の範囲】
【請求項１】
下地の処理が行われた構造物の界面隙間の上からアスファルト乳剤を塗布することにより前記下地の凹凸に適合した第１層を形成する第１層形成ステップと、
該第１層の上に布製の防草シートを貼り付ける貼付ステップと、
前記第１層及び前記防草シートの上にアスファルト乳剤を塗布することにより前記第１層と前記防草シートの表面の凹凸に適合して前記防草シートを被覆する第２層を形成する第２層形成ステップと、を備えたことを特徴とする防草構造体施工方法。
【発明の詳細な説明】
【技術分野】
【０００１】
本発明は、アスファルト舗装と縁石ブロックなど構造体の界面の隙間に形成される防草体構造体を施工する防草構造体施工方法に関する。
【背景技術】
【０００２】
防草構造体を界面隙間の上に貼り付ける又は鋲で固定する技術思想に属するものとして次の特許文献１、２がある。
【０００３】
特許文献１に記載の発明は、（ア）発芽による防草シート押上げ剥離の耐抗力を高め、（イ）施工不良や発芽の押上げ剥離による耳（端）部分からの光の侵入を無くし、（ウ）下地の凹凸の激しい現場においても接着力を高めるため、舗装と縁石ブロックなどが接する界面隙間の地表部を、下から順に、下地均し機能を兼ねた目張りテープ、芽止めテープ、防草シートの３層構成で被覆貼着する防草構造とする。又は上記目張りテープと発芽貫通耐抗力をもつ防草シートの二層で被覆貼着する防草構造とする。
【０００４】
特許文献２に記載の発明は、コンクリートブロックやタイルブロック等のブロックの目地部や打設コンクリートの目地部あるいは亀裂部からの草の生育を防止するための、簡便で低コストの防草構造体およびその施工方法を得るため、構造体表面部の目地部／亀裂部用防草構造体の施工方法であって、目地部／亀裂部の幅より広い幅の防草シートを準備する工程と、目地部／亀裂部の上面および目地部／亀裂部の両側に接する構造体表面部の少なくとも一部を覆うように、防草シートを敷設する工程と、防草シートと構造体表面部とが重なる部分に釘状器具を打ち込んで、防草シートを構造体表面部に固定する工程とを含む、目地部／亀裂部用防草構造体の施工方法である。
【０００５】
特殊な樹脂等の充填材で界面隙間に充填する技術思想に属するものとして次の特許文献３、４、５がある。
【０００６】
特許文献３の発明は、雑草の発生を防止するシーリング材及びシーリング構造の開発を目的としたもので、無機硬化組成物３０〜７０質量％、樹脂エマルション組成物３０〜７０質量％からなる混合物からなることを特徴とする雑草防止シーリング材であり、具体的には、エチレン− 酢酸ビニル共重合体樹脂、アクリル樹脂、ウレタン樹脂、エポキシ樹脂、ゴム、アスファルト乳剤から選ばれる樹脂エマルション組成物を含む雑草防止シーリング材。石膏、アルミナセメント、ホワイトポルトランドセメント、普通ポルトランドセメント、早強ポルトランドセメント、中庸熱ポルトランドセメント、耐硫酸塩ポルトランドセメント、混合ポルトランドセメントから選ばれる無機硬化組成物を含む雑草防止シーリング材である。
【０００７】
特許文献４の発明は、下地の水分に影響されにくい塗膜を形成できる雑草生育抑制工法及び雑草生育抑制用組成物を提供することであり、ポリウレタン樹脂を含む塗膜を下地に形成し、前記下地における雑草の生育を抑制する雑草生育抑制工法であって、前記ポリウレタン樹脂は、ポリイソシアネート及びポリオールを含むモノマーを重合して成るものであり、前記ポリイソシアネートは、（Ａ１）ＭＤＩ（Ａ２）ポリメリックＭＤＩ（Ａ３）カルボジイミド変性ＭＤＩ（Ａ４）水素添加ＭＤＩ（Ａ５）２価又は多価アルコールで前記（Ａ１）〜（Ａ４）のいずれかを変性した化合物から成る群から選ばれる１種以上であるとともに、前記ポリオールは、（Ｂ１）ヒマシ油（Ｂ２）変性ヒマシ油（Ｂ３）ポリブタジエン系ポリオール（Ｂ４）ポリテトラメチレングリコールから成る群から選ばれる１種以上であることを特徴とする雑草生育抑制工法である。
【０００８】
特許文献５の発明は、狭い充填溝への乾式での充填において、ノズルの詰まりが生じにくく、かつ散水などによる水の浸透性に優れ、硬化物にむらが生じにくく、長期の安定性に優れた雑草発生防止工法用隙間充填材を提供するものであり、セメントと砂を約１：３の割合で配合し、乾燥収縮低減剤を、セメントに対し１．５重量％程度、膨張材をセメントに対し３．０重量％程度混合する。必要に応じ、さらに、高性能減水剤、接着剤等を配合する。混合した材料は、ＪＰ漏斗にＪＰ漏斗の下端を押さえて充填し、その後ＪＰ漏斗の下端を開いてそのまま全量流出するか、または充填した状態からＪＰ漏斗の側面を木槌で１回たたいて全量流出するものであり、かつ通常の５００ｍｌのビーカーに２００ｍｌまで材料を入れ、その上から水を注いだときに、水が材料全体に行き渡るまでの時間が５分以内となるように配合を調整するものである。
【先行技術文献】
【特許文献】
【０００９】
【特許文献１】特開２００８−６９５２７号公報
【特許文献２】特開２００９−１８５４８２号公報
【特許文献３】特開２００５−８７０４１号公報
【特許文献４】特開２００８−２６７０３６号公報
【特許文献５】特開２００９−１８００２１号公報
【発明の概要】
【発明が解決しようとする課題】
【００１０】
特許文献１、２では、雑草の耐貫通性等に優れているが、施工性や防草の持続効果の点で問題がある。図６に示す通り、実際の施工現場は凹凸や段差のあるものが多く、特許文献１では、柔らかいうちは接着した状態になるが、冷めてくると中の不織布シート等の反発力で完全には密着していないので、防草シートが舗装面からめくれたり、剥がれたりしてくる。特許文献２では、打ち込んだピンが時間経過とともに弛み、ここから剥がれてくる恐れがある。また、厚さを薄くすることは困難であることがほとんどであり、舗装面の凹凸にピッタリとくっつかないという問題もある。そうすると、防草構造体５０１と界面隙間アスファルト舗装面５０２との間に隙間Ｓが発生し、側面から光と水が供給されて、雑草が生えやすくなるという課題がある。この厚みの問題は防草シートの端の段差を招き、ここに雑草の温床となる土ダマリが生じやすくなる。また、耐貫通性を重視しているので、製造コストがかかり、製品単価が高くなり、また施工に際してシート裁断、シートの加熱溶着又はテープ接着、シートの端末処理及び金物固定などの施工費用、施工時間、施工労力を要する。施工業者には普及しないことが多く、需要が少ないという課題がある。さらにアスファルト舗装面との違和感が生じる。
【００１１】
特許文献３〜５では、充填材の調整が面倒であり、また、特殊な材質を採用していることから、工事費に占める材料費の割合が６割以上もあり、１ｍ当たり工事費が２０００円以上もかかってしまうため、従来とほとんどコストが同様である。したがって、コスト低減が困難であるため、予算を勘案すると施工業者が採用し難く、普及が困難であるという課題がある。段差のある箇所で施工すると外観的に違和感を生じる。
【００１２】
いずれにしても一長一短があり、特に、コスト面で施工業者の観点から問題があった。
【００１３】
本発明は、雑草への耐貫通性に優れること、良好な施工性を確保すること。凹凸のある表面でも密着性が優れること、大幅なコスト低減、特に材料費の削減を図り施工業者へ普及させること、アスファルト舗装面との違和感をなくすことを課題とする。
【課題を解決するための手段】
【００１４】
上記課題に鑑み本発明は、下地の処理が行われた構造物の界面隙間の上からアスファルト乳剤を塗布することにより前記下地の凹凸に適合した第１層を形成する第１層形成ステップと、該第１層の上に布製の防草シートを貼り付ける貼付ステップと、前記第１層及び前記防草シートの上にアスファルト乳剤を塗布することにより前記第１層と前記防草シートの表面の凹凸に適合して前記防草シートを被覆する第２層を形成する第２層形成ステップと、を備えたことを特徴とする防草構造体施工方法である。
【００１５】
本発明の防草構造体に含まれる防草シート１としては、可撓性、防水性および遮光性を有する布製のものを用いることができる。このような防草シート１の具体例として、優れた可撓性、防水性および遮光性を有するものが好ましい。例えば、実開昭５６−８３０２７号、特開平６−５６６０６号公報、特開平８−２９１５２３号公報、特開平９−９９９８０号公報、特開平１０−４２７２０号公報、特開平１０−１６８７３０号公報、特開平１０−２６６１５５号公報、特開平１１−８１２１９号公報、特開２０００−２７９０３６号公報、実用新案登録第３０７４８８０号、特開２００２−２７２３４８号公報等に開示された防草シート１を用いることができる。防草シートは、布製、たとえば、織布、編み布、不織布又は不織布を主材とした厚さが０．５〜１．５ｍｍのものが好ましい。この不織布はシートの形状安定と強度確保を目的とする基材であって基本的に貫通抵抗力があるものである。例えば、ポリエステル不織布、ポリプロピレン・ポリエステルニ層又は三層構造不織布、レーヨン不織布等が挙げられる。貫通力の強い雑草には、不織布を含んだアスファルトシートを用いてもよい。この場合には、その厚さ２〜４ｍｍが好ましい。そのほか、特開２００８−１７７４９号公報、特開２００７−１５１４８６号公報、特開２００６−３３３７１７号公報、特開２００６−３４２１６号公報、特開２００５−２２９８６２号公報に記載のものを採用してもよい。例えば、ニードルパンチ処理による３次元交絡構造を有する長繊維不織布でもよい。単層に限らず２層、３層でもよい。複層の場合、少なくとも１層が布製、特に不織布であることが好ましい。
【００１６】
ここでいうアスファルト乳剤とは、特殊な界面活性剤を用いて、水中にアスファルトの微粒子を安定的に分散させたものである。カチオン系乳剤と、アニオン系乳剤と、ノニオン系乳剤とがあり、用途により浸透用乳剤、表面処理用乳剤、混合用乳剤とがあるがいずれでもよい。プライムコート用乳剤、タックコート用乳剤のいずれでもよい。プライムコート用乳剤は、粒状材料などにより構築された路盤の防水性を高め、その上に舗設するアスファルト混合物層とのなじみをよくするため、路盤上に散布するアスファルト乳剤である。タックコート用アスファルト乳剤は、アスファルト混合物やセメントコンクリートからなる下層と、アスファルト混合物からなる上層とを結合するために用いられるアスファルト乳剤である。カチオン系、アニオン系、ノニオン系のいずれの乳剤でもよい。また、規格として、高浸透性アスファルト乳剤（プライムコート用）、高濃度アスファルト乳剤（浸透用および表面処理用）、カットバックアスファルト乳剤（維持修繕の常温混合物用）、改質アスファルト乳剤（タックコート用、温暖期表面処理用、寒冷期表面処理用、マイクロサーフェシング用）があるが、いずれでもよく、適用場所等の条件に応じて適宜選択される。
【００１７】
防草構造体の厚みは、１〜５ミリ、好ましくは１．５〜３．５ミリ、さらに好ましくは２〜２．５ミリである。防草構造体の横幅は１０〜２０ｃｍ、特に１０〜１５ｃｍが好ましい。また、防草シートから片側で横幅方向に５〜１５ｍｍ余分にアスファルト乳剤を塗布することが好ましい。
【００１８】
構造物の界面隙間には、アスファルト舗装とコンクリートブロックの隙間、アスファルト舗装のひび割れ等も含まれる。
【発明の効果】
【００１９】
本発明の防草構造体及び防草構造体施工方法によれば、雑草への耐貫通性に優れる布製の防草シートを上下から接着力の強いアスファルト乳剤で挟んで固定したものであるので、雑草への貫通抵抗力が向上し、根の持ち上げ力に対しても上から押さえつけることができる。また、耐候性が一層高まり、凹凸のある表面でも密着性が優れ、横からの光と水の界面隙間への供給を遮断し、安価な布製の防草シートとアスファルト乳剤を採用することで、大幅なコスト低減が図ることで施工業者へ普及を促進させることができ、アスファルト舗装面との違和感をなくすことができる。
【図面の簡単な説明】
【００２０】
【図１】本発明実施形態の防草構造体施工方法のブロック図である。
【図２】本発明実施形態１の防草構造体施工方法により施工される前の防草構造体と構造物の断面図である。
【図３】図２の施工後の断面の部分拡大図である。
【図４】本発明実施形態の防草構造体施工方法により施工された別の例の防草構造体と構造物の断面図である。
【図５】本発明実施形態の防草構造体施工方法により施工された更に異なる別の防草構造体と構造物の断面図である。
【図６】従来技術の問題点を指摘する説明図である。
【発明を実施するための形態】
【００２１】
以下、本発明実施形態の防草構造体施工方法について図１〜図５を参照して説明する。
【００２２】
この実施形態の目的は、舗装面のクラック、舗装面とコンクリート構造物等の界面の隙間から生えてきた雑草を除去した後、その場所から防草シートの寿命がある限り再度雑草を発生させないための工法を提供することである。
【００２３】
本施工工法の概要は次の通りである。すなわち、発生した雑草を除去した後、その隙間を充填材にて下地処理を行い、その上（舗装面）を所定の巾（１０〜２０ｃｍ程）で接着力の強いアスファルト乳剤を塗布し、その上に雑草の成長による貫通を防ぐために防草シートを貼りつける。貼りつけた防草シートの上に同じアスファルト乳剤を再度塗布し、その上に硅砂（砂）を散布、敷均し、転圧を行い、仕上げる工法である。
【００２４】
この防草シートは、織布、編み布および不織布から選ばれる基材から製造されることが好ましい。特に、不織布が好ましく、例えば、ポリエステル、ポリプロピレン、レーヨン等の不織布が好ましく、また、例えば、厚さ０．５〜４ｍｍ、単位面積あたりの重量１５０〜６００ｇ／ｍ2、遮光率が９５〜９９．５％、透水係数６．０×１０-3〜１．０×１０-2、引張強度の縦と横がそれぞれ８．２〜６１．２Ｋｇｆ／５ｃｍ（１６〜１２０Ｎ／ｃｍ）であるものが好ましい。特に好ましくは、例えば、ポリエステル不織布の柔剛２層構造で、高密度長繊維不織布が貫通抵抗性に優れ、この高密度不織布よりも柔らかな低密度不織布が密着性を高めるものであり、その物性は、例えば、厚さ０．５〜１．５ｍｍ、単位面積あたりの重量１５０〜２５０ｇ／ｍ2、遮光率が９９〜９９．５％、透水係数６．０×１０-3〜６．０×１０-2、引張強さの縦と横がそれぞれ２０．４Ｋｇｆ／５ｃｍ（３９Ｎ/ｃｍ）であることが好ましい。強壮雑草であるススキ、ヨシ、スギナを抑止する。雑草が発根しても防根効果により雑草根のシガミツキがほとんど無い。
【００２５】
防草シートは、好ましくは、厚みが０．５〜４ｍｍである。不織布の場合には厚さ０．５〜１．５ｍｍが好ましく、不織布を含んだアスファルトシート等の他の材料と複合化された不織布を用いる場合には、厚さ２〜４ｍｍが好ましい。
【００２６】
防草シートの光線透過率は、好ましくは８％以下、さらに好ましくは３％以下、特に好ましくは０．５％であることが好ましい。光線透過率が上記範囲内では、雑草の生育を有効に防止することができるため好ましい。
【００２７】
防草シートの貫通抵抗力は、好ましくは９０Ｎ以上、さらに１４０Ｎ以上、より好ましくは１９０Ｎ以上、特に好ましくは２４０Ｎ以上が好ましい。「貫通抵抗」とは、ＡＳＴＭ・Ｄ４８３３に準拠した測定値である。
【００２８】
防草シートの引張強度は、好ましくは３５Ｎ／ｃｍ以上、さらに好ましくは７０Ｎ／ｃｍ以上、より好ましくは１１０Ｎ／ｃｍ以上、特に好ましくは１２０Ｎ／ｃｍ以上であることが好ましい。「引張強度」とは、ＪＩＳ・Ａ６０１３に準拠した測定値である。
【００２９】
防草シートの引張伸び率は、好ましくは１２％以上、さらに好ましくは２５％以上、特に好ましくは３０％以上が好ましい。「引張伸び率」とは、ＪＩＳ・Ａ６０１３に準拠した測定値である。
【００３０】
防草シートの引裂強度は、好ましくは４０Ｎ以上、さらに好ましくは６０Ｎ以上、より好ましくは８０Ｎ／ｃｍ以上、特に好ましくは９０Ｎ／ｃｍ以上であることが好ましい。「引裂強度」とは、ＪＩＳ・Ａ６０１３に準拠した測定値である。
【００３１】
防草シートは、引張強度の縦方向と横方向との比が、好ましくは０．７０〜１．５０、さらに好ましくは０．７２〜１．４０、より好ましくは０．７４〜１．３５、特に好ましくは０．７５〜１．３０である。
【００３２】
防草シートは、引裂強度の縦方向と横方向との比が、好ましくは０．７０〜１．２７、さらに好ましくは０．８２〜１．２３、より好ましくは０．８５〜１．１６、特に好ましくは０．８７〜１．１５である。
【００３３】
本実施形態のアスファルト乳剤としては、日本工業規格JIS  K  2208（2000）でいえば、浸透用カチオン乳剤、または、日本アスファルト乳剤協会規格JEAAS-2006でいえば、改質アスファルト乳剤（用途は浸透用および表面処理用）、高濃度アスファルト乳剤（タックコートまたは表面処理用）、または高濃度改質アスファルト乳剤が好ましい。改質アスファルト乳剤は、舗装用石油系アスファルト乳剤にポリマーを安定的に微分散させ、骨材把握力、わだち掘れ抵抗性、耐摩耗性、ひび割れ抵抗性などの性能を高めた特殊な舗装用アスファルト乳剤である。
【００３４】
この防草構造体施工方法は具体的に図１〜図３に示す通り次の施工手順により行われる。
【００３５】
（イ）  清掃する。スイーパーと人力による。
【００３６】
（ロ）  除草する。抜根はしないで、草刈り機で出来る限り界面隙間１０３（図２参照）深くまで除去する。
【００３７】
（ハ）  下地処理を行う。ｉ．界面隙間１０３が小さい場合はアスファルト乳剤と硅砂で穴をうめる。ｉｉ．界面隙間１０３が大きい場合は下層をセメントモルタル等で穴をうめ、上層１０ｍｍ程をアスファルト乳剤と硅砂で穴を埋める。
【００３８】
（ニ）  清掃と乾燥を行う。清掃は水圧、空圧を利用して入念に行う。乾燥はプロパンガス又は温風器を利用して行う。
【００３９】
（ホ）  すみ出しを行う。施工幅に応じて位置出しを行う。施工幅は１０〜２０ｃｍ、特に１０〜１５ｃｍが好ましい（図２のＷ参照）。
【００４０】
（ヘ）  １回目のアスファルト乳剤の塗布を界面隙間１０３の上面に対して施す。この乳剤は粘着性、流動性がある茶色の乳剤である。この塗布にあたっては、すみ出し位置からアスファルト乳剤がはみ出さないように注意して塗布する。これにより第１層２が形成される（図３参照）。
【００４１】
（ト）  不織布製の防草シート３の貼り付けを行う。この防草シート３の横幅は施工上、前記横幅Ｗよりも小さいことが好ましい。前記（ヘ）の塗布直後に貼りつけを行い、特殊紙（例えば、表面がつるつるの剥離紙）を使って防草シート３を押さえる。
【００４２】
（チ）  アスファルト乳剤を上記防草シート３及び第１層２の表面に塗布する。前記（ヘ）、（ト）のアスファルト乳剤の固化を待って、アスファルト乳剤の塗布を行う。防草シート３端部から片側で横幅方向に５〜１５ｍｍ余分にアスファルト乳剤を塗布することが好ましい。これにより第２層４が形成される。防草シート３が第１層２と第２層４の間に密着した状態で固着される。この第２層４には両側に斜めにスリ付け部分（裾）を設けている。これは土ダマリができ難くためである。アスファルト乳剤の流動性により自然にすりつけができるので、作業が容易である。第２層４の横幅は防草シート３の横幅以上であることが好ましく、また、前記横幅Ｗ以上であることが好ましい。特に図示するように防草シート３はその周囲をアスファルト乳剤で囲まれた状態が好ましい。
【００４３】
（リ）  硅砂５を第２層４の表面に散布する。前記（チ）のアスファルト乳剤塗布直後に硅砂を散布し、表面を平たんに敷均して、転圧を行う。破砕片、骨材、ガラス片等の小片であってもよい。例えば、ほうき、ローラ付台車、手押ローラ等で均す。硅砂の量、アスファルト乳剤の量によって防草構造体１の厚みを変えることができる。防草構造体１の最低厚みは３ミリ以上が好ましいがそれ以下でもよい。
【００４４】
（ヌ）  清掃を行う。前記（リ）の表面が固化した後に行う。
【００４５】
本実施形態の施工方法により施工された後の防草構造体１と道路横断面の一例を図２、図３に示す。厚さ５ｃｍのアスファルト舗装１０２（ここでは歩道）に界面隙間１０３（雑草が生えている箇所）が隣接し、この界面隙間１０３にコンクリートブロック１０４が隣接し、このコンクリートブロック１０４に側溝１０５が隣接し、側溝１０５に厚さ１０ｃｍのアスファルト舗装１０６（ここでは車道）が隣接し、界面隙間１０３の上に防草構造体１が構築されたものである。防草構造体１の横幅Ｗは１０〜１５ｃｍが好ましい。
【００４６】
図３の防草構造体１の構成は次の通りである。すなわち、下地の処理が行われた構造物の界面隙間１０３の上からアスファルト乳剤を塗布することにより下地の凹凸に適合して形成された第１層２と、この第１層２の上に貼り付けられた不織布製の防草シート３と、第１層２及び防草シート３の上面にアスファルト乳剤を塗布することにより第１層２と防草シート３の表面の凹凸に適合して被覆された第２層４と、を備えたものである。
【００４７】
上記の実施形態の効果は次の通りである。
（ａ）  防草構造体１は接着力の強いアスファルト乳剤から形成される第１層２と第２層４の間に防草シート３を挟み込んだサンドイッチ構造であるため、アスファルト乳剤が防草シート３に対して強く接着し、防草シートの組織が強化されるので、雑草の貫通力に対し抵抗力が大きくなる。
【００４８】
（ｂ）  防草構造体１は薄層構造とすることができる。特に、硅砂５を除いた厚さを構造上３ミリ以下にすることもできる。硅砂５に代えて、硬質の破砕片、たとえば、ガラス片、骨材、リサイクル材等を使用してもよい。
【００４９】
（ｃ）防草構造体１の両側にすりつけ部分（外側に向かって傾斜する部分）を設けているため、両側に土だまりが出来にくいし、そこから雑草が生えることがなくなる。
【００５０】
（ｄ）断差のある場所の施工が容易である。断差の一例として、複雑な凸凹、大きなコブ状の盛り上がりでも防草構造体１が下地に密着できる。
【００５１】
（ｅ）  アスファルト乳剤は、アスファルト舗装１０２及びコンクリートブロック１０４に塗布し、不織布と密着させるので、側面からの遮光と防水を完全に行うことができ、植物の光合成を完全に拒み、水の浸透も防ぐことができる。
【００５２】
（ｆ）  アスファルト乳剤に密着させた防草シート３の上に、再度、同じアスファルト乳剤を塗布した上、硅砂５を散布し付着させるため耐候性が向上する。少なくとも５年間がもち、１０年〜１５年も予測される。
【００５３】
（ｇ）  完成された仕上面の表面の色調がアスファルト舗装１０２とコンクリートブロック１０４のほぼ中間色で違和感がほとんどなく外観が向上する。
【００５４】
（ｈ）アスファルト乳剤は基本的に乾燥した後でもある程度の柔軟性を持っているので、乾燥してもある程度のひび割れ、伸縮、夏と冬の温度差、自動車の振動等の要因により生起する界面隙間の伸縮に対してもある程度追従するくらいの柔軟性、柔らかさなどを持っているので、ひび割れへの抵抗力を増大させることができる。
【００５５】
（ｉ）防草シートとアスファルト乳剤は安価に入手できるので、材料費を低減することによって、工事費を削減でき、施工業者に採用されることで、防草シートを普及できる。
【００５６】
図４に示す別の施工例を説明する。図４に示す通り、防草構造体１１は基本的には防草構造体１と同様の構造であるが施工される場所が前記の図１〜図３の場合と相違している。図４の場合、アスファルト舗装２０２と、コンクリートブロック２０５との界面に段差がある。この段差に適合させて防草構造体１１は屈曲されている。共通する説明は前記を援用する。
【００５７】
図５に示す別の施工例を説明する。図５に示す通り、防草構造体２１は基本的には防草構造体１、１１と同様の構造であるが施工される場所が前記の図１〜図４の場合と相違している。図５の場合、アスファルト舗装３０２と、コンクリートブロック３０５との界面の両側に施工される。この両側に施工されるため、防草構造体２１はコンクリートブロック３０５の両側に分離されて形成される。共通する説明は前記を援用する。
【産業上の利用可能性】
【００５８】
本発明は、コンクリート構築物とアスファルト舗装面等の界面との隙間からの雑草を防止する防草構造体施工方法でを提供することで、コストと削減し施工を容易にする。
【符号の説明】
【００５９】
１…防草構造体  ２…第１層  ３…防草シート    ４…第２層  ５…硅砂
１０２…アスファルト舗装  １０３…界面隙間  １０４…コンクリートブロック
１０５…側溝  １０６…アスファルト舗装
【図１】
2011122381.tif 000003
【図２】
2011122381.tif 000004
【図３】
2011122381.tif 000005
【図４】
2011122381.tif 000006
【図５】
2011122381.tif 000007
【図６】
2011122381.tif 000008